(57)【要約】      （修正有）【課題】分配箱から分配するグラスファイバー回線と、同じく各家庭に繋ぐドロップ線のグラスファイバーへの鳥害のカラスと、クマゼミによる切断被害を防ぐ電線保護体の提供。【解決手段】長方形型と丸型計状の下部の取着部と電線保護体係止部７の間を開き挿入ビス止め装着させたグラスファイバー回線６と，太い電線９回りで上方向に鋭利にした先端の波状波形部２を上方方向に突き出し，分配箱１０と太い電線９に近寄れず、近寄っても波状波形部２で遊戯と食いちぎりが出来ず、各家庭に繋ぐドロップ線を長方形型形状の下部の取着部で電線保護体係止片７の間を開き挿入ビス止め包含装着させた鳥害防止用電線保護体。【選択図】図９
2008000078.tif 000002
【特許請求の範囲】
【請求項１】
分配される分配箱１０の近傍のグラスファイバー回線６と、太い電線９と、太い電線９の近傍にあるグラスファイバー回線６の両方に電線保護体１の下部の長方形型又は丸型形状とした波状波形部２と電線保護体係止片７のあいだを開いて挿入装着させ、隣り合う電線保護体１を接続する継手の係合突起部３と係合凹部４で長方形型又は丸型形状の同形状どうしでビス止め長手方向に接合させ、分配箱１０から最前部の電線保護体１の切断面部５を当接させ、中間部と最後部と接続させた電線保護体１で、分配箱１０から近傍を電線保護体１の鋭利な波状波形部２の先端を上方方向に突き出すようにして分配箱１０回りで鳥害を防止し、近傍にある太い電線９にカラスが跨り、食いちぎられる恐れのあるグラスファイバー回線６と太い電線９の両方に電線保護体１の鋭利な先端を上方方向に突き出すように波状波形部２を挿入装着させて、太い電線９に近寄らせず鳥害を防止し、分配箱１０から各家庭のあいだを繋ぐドロップ線１１に、電線保護体１の下部の長方形型形状とした波状波形部２と電線保護体係止片７のあいだを開いて挿入ビス止め装着させ、隣り合う電線保護体１を接合する継手で長手方向に接続させドロップ線１１の全線を接合包含させてクマゼミを近寄らせないようにしてなる鳥害防止用電線保護体。
【発明の詳細な説明】
【技術分野】
【０００１】
本発明は電柱上部で大量の情報をやり取りするグラスファイバー網の回線を、幹線から家庭用回線を分ける分配箱の周辺の回線が、カラスに切断されてしまう被害が増えている現状である。
【背景技術】
【０００２】
本発明は、電柱上部で多い情報をやり取りする幹線からのグラスファイバー網の回線にワイヤーで補強、ビニールで被膜されているものの、くちばしで引きちぎり被害は防止出来ず、最近は市街地の近くで、巣作りの営巣のための材料集めることが多くなり、最初は巣作りの材料集めがだんだん遊びの要素も加わったので、繁殖期のカラスは神経質になるので、ストレス解消のためか、近く分配箱のグラスファイバー網の回線が切断されている。
【発明の開示】
【発明が解決しようとする課題】
【０００３】
本発明は電柱上部で多い情報をやり取りする幹線から分配箱から各家庭に繋ぐグラスファイバー回線が、分配箱上と適宜太さの太い電線上に跨り鳥類のカラス等が、近傍のグラスファイバー回線を悪戯し切断されるのを防ぐのと、クマゼミが木の葉と間違えて産卵管をドロップ線に突き刺し、内部のグラスファイバーを傷つけ損傷される例が多発しており、このような課題を解決する鳥害防止用保護体を提供するものである。
【課題を解決するための手段】
【０００４】
本発明は、分配される分配箱の近傍のグラスファイバー回線と、太い電線の近傍にあるグラスファイバー回線に、直方形型又は丸型形状をした下部の波状波形部２と電線保護体係止片のあいだを開いて挿入装着出来るようにし、隣り合う電線保護体を接合する継手の係合突起部と係合凹部で長方形型又は丸型形状の同形状どうしをビス止め長手方向に連接包含させ、分配箱から切断面部を当接させ、分配箱の近傍に電線保護体の鋭利な波状波形部の先端を上方方向に突き出すようにするのと、近傍にある太い電線に鳥類のカラスが跨りグラスファイバー回線に悪戯し食いちぎられる恐れがある両太い電線とグラスファイバー回線に、鋭利な波状波形部の先端を上方方向に突き出すようにして挿入装着して、鳥類のカラスからの被害を防止するのと、各家庭に繋ぐドロップ線に長方形型形状の下部の波状波形部と電線保護体係止部のあいだを開いて挿入させビス止め包含装着し、電線保護体を接合する継手の係合突起部と係合凹部とで長手方向に連接接合させて全線のドロップ線を包含装着させるようにした鳥害防止用電線保護体。
【発明の効果】
【０００５】
本発明は、分配される分配箱の近傍のグラスファイバー回線と、太い電線の近傍にあるグラスファイバー回線に、長方形型又は丸型形状をした下部の波状波形部と電線保護体係止片のあいだを開いて挿入ビス止め装着させ、分配箱と切断面部を当接させて電線保護体を分配箱の近傍に、電線保護体の鋭利な波状波形部の先端を上方方向に突き出すようにしたからカラスが分配器上に載ってグラスファイバー回線に悪戯出来ず、食いちぎられること無く切断を免れるのと、近傍に太い電線があるグラスファイバー回線の近傍には、両太い電線とグラスファイバー回線に長方形型又は丸型形状をした下部の波状波形部と電線保護体係止片のあいだを開いて挿入ビス止め装着するようにしたから、太い電線に跨ることが出来無いカラスは悪戯を諦め飛び去るから、食いちぎりによるグラスファイバー回線が切断から免れ、分配箱から各家庭に繋ぐドロップ線に長方形型形状をした下部の波状波形部と電線保護体係止片の間を開き挿入し、隣り合う電線保護体を接合する継手の係合突起部と係合凹部で、長方形型又は丸型形状の同形状どうしをビス止め長手方向に連接包含させ、ドロップ線の全線に電線保護体で連接包含させたからクマゼミを近寄らせることが無いからグラスファイバーが損傷、切断されることの無い、鳥害防止保護体として効果は大である。
【発明を実施するための最良の形態】
【０００６】
以下、本発明の実施の形態を図１〜図１１に基づいて説明する。
【実施例】
【０００７】
本発明を図により説明すると、１は所定長さの先端へと鋭利な波状波形部２を上方方向へ突き出すようにした合成樹脂製の電線保護体であり、電線保護体１の下部の長方形型又は丸型形状をした波状波形部２と電線保護体係止片７のあいだを開いて、図１で長方係型形状をしたグラスファイバー回線６を挿入電線保護体１の下部の波状波形部２と電線保護体係止片７の取付穴８、８を介してビス止め装着するのと、ドロップ線１１を挿入ビス止め、電線保護体１をグラスファイバー回線６或いはドロップ線１１に包含装着するようにし、又、図２において丸型形状をした太い電線９を挿入電線保護体１の下部の波状波形部２と電線保護体係止片７の取付穴８、８を介してビス止め、電線保護体１で太い電線９に装着するようにしたものである。
図３は、電線保護体１を接続する継手の係号突起部３を設け、もう片方には接続する継手で係合凹部４を設け、隣り合う電線保護体１を接続する継手で係合突起部３と係合凹部４で長方形型又は丸型形状の同形状どうしで接続させる。（この図は長方形型形状の電線保護体である）
図４は、電線保護体１どうしを接続する継手を、左の係合突起部３と、右に係合凹部４の取付穴８、８を介してビス止め、電線保護体１の切断面部５の最前部から最後部の切断面部５までを包含させる距離を、中間部の電線保護体１の所要数で接続させてるようにしたものである。（この図は丸型形状とした電線保護体である）
図５、６は、電線保護体１の長方形型又は丸型形状の同形状どうしでグラスファイバー回線６或いはドロップ線１１を、又、太い電線９に係合突起部３と係合凹部４で接続させ、もう片方には切断面部５を設けて、長手方向に接続した電線保護体１の最後部と最初部分等に使用する。
切断面部５は分配箱１０と当接させて電線保護体１を挿入装着する時に利用する。
図７は、分配箱１０から、又、幹線から各家庭の間を繋ぐドロップ線１１という細いケーブルで、ポリエチレンの皮膜にグラスファイバーの心船（ガラス）が通っており、クマゼミの硬い産卵管１２を、ケーブル表面の溝から刺し、真下にある心線は的中し、グラスファイバーに損傷になる例が多発していることがわかった。
図８は、電柱に張り渡した分配縛１０から分配されたグラスファイバー回線６が分配箱１０に跨り載ったカラスに悪戯され食いちぎられる図である。
図９は、本発明の分配箱１０回りで、分配箱１０に切断面部５を当接させ、分配箱１０からカラスに悪戯される恐れの近傍までを、電線保護体１の、鋭利な先端を上方方向に向かい波状波形部２を突き出すようにして分配箱１０でカラスが悪戯するのに近寄らないようにしたものである。
図１０は、電柱に張られた太い電線９があるために、太い電線９に跨ったカラスによりその近傍にあるグラスファイバー回線６は悪戯され、食いちぎられる図である。
図１１は、本発明の長手方向にグラスファイバー回線６又は太い電線９に、上方方向に鋭利な先端を突き出すようにして挿入装着し、グラスファイバー回線６や太い電線９を、電線保護体１の下部の長方形型又は丸型形状の波状波形部２と電線保護体係止片７のあいだを開いて長方形型形状のグラスファイバー回線６或いはドロップ線１１や、丸型形状をした太い電線９を挿入し、電線保護体係止片７の取付穴８、８を介してビス止めして電線保護体１をグラスファイバー回線６或いはドロップ線１１、又は、太い電線９に挿入装着して鳥害防止用電線保護体１としたものである。
グラスファイバー回線６或いはドロップ線１１、又は太い電線材９に、電線保護体１の下部を長方形型形状、又は丸型形状とした波状波形部２と電線保護筒係止片７のあいだを開いて、長方形型形状でグラスファイバー回線６或いはドロップ線１１を挿入、又、丸型形状で太い電線９を挿入した電線保護体係止片７と波状波形部２の取付穴８、８を介してビス止めして、電線保護体１をグラスファイバー回線６又は太い電線９に挿入ビス止め装着出来るようにしたものである。
本発明は、幹線から分配箱１０の近傍のグラスファイバー回線６と、太い電線９の近傍にあるグラスファイバー回線６のそれぞれに電線保護体１の下部の長方形型又は丸型形状とした波状波形部２と電線保護体係止片７のあいだを開いて挿入装着し、隣り合う電線保護体１を接合する継手の係合突起部３と係合凹部４で長方形型又は丸型形状の同形状どうしの取付穴８、８を介してビス止め接合させ、電線保護体１の長方形型又は丸型形状の同形状どうしで長手方向に接続包含させ、電線保護体１の最前部の切断面部５を分配箱１０と連接させ、最前部から中間部の電線保護体１で連接接続、最後部の電線保護体１の切断面部５までの距離を接続包含させ、分配箱１０の近傍と、両太い電線９と近傍のグラスファイバー回線６に電線保護体１の鋭利な波状波形部２の先端を上方方向に突き出すようにしたから、分配箱１０に跨ったカラスは何も出来ずに飛び去り、太い電線９にカラスが跨ることが出来ず、カラスはグラスファイバー回線６から飛び去り、その悪戯から免れ、分配箱１０から各家庭の間を繋ぐドロップ線１１に、電線保護体１の下部の長方形型形状とした波状波形部２と電線保護体係止片７のあいだを開きドロップ線１１を挿入ビス止め装着させ、隣り合う電線保護体１を接合する継手の係合突起部３と係合凹部４をビス止め電線保護体１を連接接続装させ、長手方向に連接接続させてドロップ線１１の全線を電線保護体１で連接包含させてクマゼミを近寄らせないようにした鳥害防止用保護体としたものである。
【産業上の利用可能性】
【０００８】
分配箱と太い電線及びグラスファイバー回線に対し鋭利な波状波形部を上方方向に突き出させて挿入装着した鳥害防止用電線保護体により分配箱上でカラスは、グラスファイバー回線に悪戯し食いちぎる断線を防ぎ、各家庭に繋ぐドロップ線には長方形型形状の下部の取着部と電線保護体係止片の間を開いて挿入ビス止め、長手方向へと連接接合、包含装着して全ドロップ線を電線保護体を包含装着してクマゼミが近寄ることが出来無いようにした鳥害防止用電線保護体にしたから産業上の利用可能性、効果は大である。  
【図面の簡単な説明】
【０００９】
【図１】本発明の鳥害防止用電線保護体で長方形型形状の電線保護体の断面図である。
【図２】本発明の鳥害防止用電線保護体で丸型形状の電線保護体の断面図である。
【図３】本発明の長方形型の電線保護体の継手の係合突起部と係合凹部の図である。
【図４】本発明の丸型形状の電線保護体の継手の係合突起部と係合凹部を示す中間部の伝染保護体の図である。
【図５】本発明の長方形型形状の電線保護体の継手を係合突起部の最前部の電線保護体の図である。
【図６】本発明の丸型形状の電線保護体の継手の係合凹部の最後部の電線保護体の図である。
【図７】本発明に係るドロップ線の図である。
【図８】本発明に係る電柱幹線とグラスファイバー回線とカラスとの関連図である。
【図９】本発明の分配箱と連接させてグラスファイバー回線に波状波形部を突き出した電線保護体を挿入装着させた図である。
【図１０】本発明に係る電柱幹線とグラスファイバー回線とカラスとの関連図である。
【図１１】本発明の電柱のカラスに悪戯される太い電線とグラスファイバー回線に波状波形部を突き出した電線保護体を挿入装着したさせた図である。
【符号の説明】
【００１０】
１        電線保護体                    ２      波状波形部
３        係合突起部                    ４      係合凹部
５        切断面部                      ６      グラスファイバー回線
７        電線保護体係止片              ８      取付穴
９        太い電線                      １０    分配箱
１１      ドロップ線                    １２    産卵管
【図１】
2008000078.tif 000003
【図２】
2008000078.tif 000004
【図３】
2008000078.tif 000005
【図４】
2008000078.tif 000006
【図５】
2008000078.tif 000007
【図６】
2008000078.tif 000008
【図７】
2008000078.tif 000009
【図８】
2008000078.tif 000010
【図９】
2008000078.tif 000011
【図１０】
2008000078.tif 000012
【図１１】
2008000078.tif 000013
【手続補正書】
【提出日】平成18年11月1日(2006.11.1)
【手続補正１】
【補正対象書類名】特許請求の範囲
【補正対象項目名】全文
【補正方法】変更
【補正の内容】
【特許請求の範囲】
【請求項１】
合成樹脂製の電線保護体１の下部に設けた長方形型形状６の両側の片方に、上方に突出させ波形波形部２と一体化した波状波形部２を立設し、他方に電線保護体係止片７を立設させ、その電線保護体の左側に電線保護体係止片７を突出させた係合突起部を、同じく右側に電線保護体係止片７を凹部にした係合凹部４を設けて中間部の電線保護体１にし、長方形型形状６の両側で波状波形部２と電線保護体係止片７を拡開自在に一体化し、最前部の電線保護体１では電線保護体係止片７の突出させた係合突起部を切断した電線保護体の切断面部を分配箱に当て、他方は電線保護体係止片７を凹部させた係合凹部４を、中間部の電線保護体１の係合突出部３を嵌め合い接続、所定長さを複数枚の中間部の電線保護体のもう片方の電線保護体係止片７に凹部にした係合凹部４を、突出した係合突出部３を嵌め合せ接続した最後部に来た最後部の電線保護体１の寸法長さを切断して最後部の電線保護体１の切断面部５を家庭に繋ぐ中継箱に当てて電線保護体１を接続させてドロップ線１１の全線にビス止め被着させるようにしてなる鳥害防止用電線保護体。
【手続補正２】
【補正対象書類名】明細書
【補正対象項目名】全文
【補正方法】変更
【補正の内容】
【発明の詳細な説明】
【技術分野】
【０００１】
本発明は電柱から分配する分配箱から各家庭に繋げるドロップ線に、クマゼミが木と間違えて産卵管を挿入して、ドロップ線のグラスファイバーに損傷を与えて通信を妨げる被害が増えている実情である。
【背景技術】
【０００２】
従来の鳥害防止用電線保護体は、電柱に架設した電線に、合成樹脂製の管体の下部に突出片を左右に対設させ、電柱に架設した電線に被着するため拡開自在に分割した電線保護体Ａであって、長手方向に継手のカリ首状の係合突起２の嵌合鎧部３で、電線保護体の継手Ｂも電線保護体Ａと同様に下部に突出片を左右に対設し、拡開自在に分割し、突入片６、６が対設され、その両側端で電線を導入させ、電柱に架設した電線に被着して強風により管体の回転しても良いように突起を、上下に配設、何時でも上方に突出するハリヤー管体が有り、鳥害防止機能が果たせる課題を解決するために、強風により回転しても常に鳥害防止機能を発揮する。（例えば、特許文献１参照）。
発電所、変電設備等の回りの柵本体の上端に、猿の手指に痛覚刺激を与えるように上に突出した鋼板製の波状波形部を柵本体の長さ方向に連接設けたものがある。（例えば、特許文献２参照）。
電柱に架設する電線に、先ず、電線に鳥害防止用電線保護体を被着させてから、電柱に架設する電線に円周回りに突起を設けて鳥害を防止する棒体を長手方向に接続設けるようにしたものがある。（例えば、特許文献３参照）
上述の従来技術だけでは、新しい鳥害防止用電線保護体とすることが出来ず、電柱から分配する分配箱から各家庭に繋ぐドロップ線は、ワイヤーで補強、ビニールで被膜されているものの、分配される分配箱から家庭に繋がるドロップ線はカラスや、特に最近クマゼミが木の葉と間違えて産卵管をドロップ線に突き刺し、内部のグラスファイバーを傷つけ損傷される例が多発している。
【特許文献１】特開２０００−５５号  公報
【特許文献２】登録実用新案第３０８９０３２号  公報
【特許文献３】特開平１１−１９１９１７号  公報                                            １）図２
【発明の開示】
【発明が解決しようとする課題】
【０００３】
しかしながら、前記鳥害防止用電線保護体にあっては、各ハリヤー棒体が上側縁から鉛直上方へ、突出させているのみであるので、鳥害防止用電線保護体が強風などにより上下逆に反転すると、その上方に突出すべきバリヤー棒体が無くなり、せっかくの鳥害防止機能が果たせなくなるという課題が有った。そこで、本発明は上記課題を解決すべく強風に対しても回転することなく常に鳥害防止機能を確実に発揮し得る鳥害防止用電線保護体を提供することを目的とするものである。また、鳥害防止対象のクマゼミの生体でその飛行する飛行高度は数百メートルの飛行高度が最高であり、そこを考慮して、電柱から分配される分配箱から各家庭のあいだのドロップ線に電気通信回線を公衆に利用可能にする電柱に架設する電線工事とおなじようにる最適の直方形型形状の両側で拡開自在にした鳥害防止用電電保護体を被着させる、取付工事が極めて簡潔な構成の鳥害防止用保護体を提供するものである。
【課題を解決するための手段】
【０００４】
本発明に係わる鳥害防止用電線保護体は、合成樹脂製の電線保護体の下部に直方形型形状を構成し、下部の長方形型形状の両側で、片方の上方に波状波形部と一体化した波状波形部を立設し、もう片方に電線保護体係止片を立設させ、その電線保護体の左側に電線保護体係止片を突出させた係合突起部を、同じく右側に電線保護体係止片７を凹部にした係合凹部を設けて中間部の電線保護体とし、直方形型形状の両側で波状波形部と電線保護体係止片を拡開自在に一体化させたから、被着工事時に簡易にカッター裁断機で係合突起部を切断し、その中間部の電線保護体を分配する分配箱に切断した切断面部を当接させて、ドロップ線を覆い被せ、当該製造した中間部の電線保護体の片方を切断し、その切断面部を分配箱に当て、他方に残った電線保護体の電線保護体係止片を凹部にした係合凹部で、長手方向へと中間部の電線保護体の電線保護体係止片を突出させた係合突出部と接続し、他方の電線保護体係止片に凹部とで所定枚数を接続し、中間部の電線保護体係合凹部と、突出した係合突出部を接続させた最後部の電線保護体は家庭の中継箱の適宜長さに合せ切断し、最後部の電線保護体の切断面部を当て、ドロップ線の全線に被せ、波状波形部と電線保護体係止および係合突出部と係合凹部の、それそれ取付穴で電線保護体間を接続させビス止めドロップ線を全線に被着させ、その上方の波状波形部でドロップ線を包含させ、分配箱から切断面部を当接させて、クマゼミは、鋭利な波状波形部の先端を上方方向に突き出させて鳥類のカラスとクマゼミからの被害を防止し、しかも、長方形型形状のドロップ線と電線保護体に設けた長方形型形状のものを嵌め合せ被着させたから、上方に突き出た波状波形部が回転、位置を逆転させることなくカラスやクマゼミからの被害を防止できる、電線保護体をドロップ線の全線に被着させてなる鳥害防止用電線保護体。
【発明の効果】
【０００５】
本発明は電線保護体の下部に直方形型形状を構成し、下部の長方形型形状の両側で、片方の上方には波状波形部を一体化し設けた電線保護体の波状波形部を立設し、もう片方には電線保護体係止片を立設し、その電線保護体の左側に電線保護体係止片を突出させた係合突起部を、同じく右側に電線保護体係止片を凹部にした係合凹部を設けて中間部の電線保護体とし、直方形型形状の両側で波状波形部と電線保護体係止片を拡開自在に一体化させたから、電線保護体を取付工事の際、寸法合せてカッター裁断機で中間部の電線保護体の左側に突出した係合突起部を切断し、切断した最前部の電線保護体の切断面部を分配箱に当てドロップ線を覆い被せ、右側の凹部させた係合凹部で長手方向に接続させる中間部の電線保護体の右側の突出させた係合突出部を嵌め合せ接続させ、所定長さを複数枚で接続させたのち電線保護体の右側の凹部させた係合凹部と、最後部の中間部の電線保護体の左側に突出させた係合突入部３側を接続させた最後部の電線保護体の凹部させた係合凹部において、家庭に繋ぐ中継箱までの距離で合せ切断し、電線保護体の切断面部を家庭の中継箱に当てて最後部の電線保護体の波状波形部と電線保護体係止片および係合突出部と係合凹部を嵌め合せ接続し取付穴でビス止め被着させ分配箱から各家庭までの全線を被着させ、中間部の電線保護体の１種類を多量に生産すれば良く、最前部では突出させた係合突
出部をカッター裁断機で切断してドロップ線に取付工事中に切断した、その最前部の電線保護体の切断面部を分配箱に当て、最後部に使用する電線保護体を中間部の電線保護体を使用し、左側の凹部した係合凹部側をカッター裁断で切断しドロップ線に工事取付中に切断したその最後部の電線保護体の切断面部を家庭に繋ぐ中継箱に当てて、最後部に使用する電線保護体を中間部用の電線保護体で賄えるから、ドロップ線への被着工事時にカッター裁断機で切断する電線保護体の切断できる簡易な取付工事によりドロップ線の全線に渡り電線保護体を被着できる効果が有り。上方に波状波形部を有する電線保護体でカラスは勿論で、クマゼミなどの飛行する高度が低空に限られる電柱の分配箱から各家庭に繋ぐドロップ線の全線に、そのクマゼミに最適の低空に架設する電線保護体を被着させたからクマゼミが近寄ることの無い被害を未然に防ぎ、電線保護体の直方形型形状を長方形型形状のドロップ線に被着させて強風が吹いても、そのドロップ線と電線保護体の長方形状を嵌め合い被着させたから、従来のように上方に設けた波状波形部が上下が回転する、逆転することが無く回転せず上方に突き出た波状波形部によりカラスが分配箱上に載っても悪戯出来ず、食いちぎられること無く切断を免れるのと、分配箱から各家庭に繋ぐ長方形型形状をしたドロップ線と下部の波状波形部と電線保護体係止片のあいだを拡開し隣り合う電線保護体を接合する継手の係合突起部と係合凹部を嵌め合わせ取付穴でビス止め長手方向に被着させ、ドロップ線の全線に電線保護体で被着させたからクマゼミを近寄らせることが無く、ドロップ線のグラスファイバーが損傷破損されることの無い鳥害防止保護体として効果は大である。
【発明を実施するための最良の形態】
【０００６】
以下、本発明の実施の形態を図１〜図５に基づいて説明する。
【実施例】
【０００７】
本発明を説明すると、従来の猿害防止用の変電所、発電設備の上方の柵本体に取着した猿害防止用の隣り合う波状を高い波と低い波とを間隔を持って構成した鋭利な鋼板製の波状波形部を用いることは公知のものである。
本発明について図１により詳しく説明すると、電線保護体１の下部に直方形型形状６を構成し、下部の直方形型形状６の片方の上方に突出す波状波形部２と一体化した波状波形部２を立設し、長方形型形状６のもう片方に電線保護体係止片７を立設させ、その電線保護体１の左側に電線保護体係止片７を突出させた係合突起部３を、同じく右側に電線保護体係止片７を凹部にした係合凹部４を設けて中間部の電線保護体１とし、長方形型形状６の両側で波状波形部２と電線保護体係止片７を拡開自在に一体化した合成樹脂製の電線保護体１としたものである。
図２は、長手方向に接続するために、合成樹脂製の電線保護体１どうしを接続するための電線保護体係止片７を突出させた係合突起部３と、もう片方の電線保護体係止片７を凹部にした係合凹部４を、隣り合う長方形型形状の電線保護体１を継手の係合突起部３と係合凹部４を嵌め合わせ取付穴８、８でビス止め接続し、ドロップ線１１に被着させる。
図３、下部に長方形型形状６を構成した中間部の電線保護体１であり、電線保護体１を接続するための継手の左側の電線保護体係合片７を突出させた係合突起部３を設け、右側には電線保護体係合片７を凹部させて係合凹部４を設け、隣り合う係合突起部３と係合凹部４で中間部の電線保護体１どうしを所定長さに合せ、所定の枚数で嵌め合せ接続するようにしたもの。
図４においては、上方に隣り合う波状を高い波と低い波を間隔を持って構成する波状波形部２を一体化した波状波形部２と電線保護体係止片７の合成樹脂製の中間部の電線保護体１で、中間部の電線保護体１の左側の電線保護体係止片７を突出させた係合突起部３を切断して切断面部５を構成し、他方は電線保護体係止片７の凹部した係合凹部４があり、また、図示はしないが最後部の電線保護体１は中間部の電線保護体１の電線保護体係止片７を突出させた係合突出部３はそのままで、他方の電線保護体係止片７を凹部した係合凹部側を切断場所にし、家庭に繋ぐ中継箱までの寸法計測し、その適宜長さを係合凹部４側で切断させて、最後部の電線保護体１の切断面部５を家庭に繋ぐ中継箱に当てて分配箱から家庭の中継箱までの全線を覆い被せるようにしたものである。
図５は、分配する分配箱１０から各家庭の間を繋ぐドロップ線１１という細いケーブルで、ポリエチレンの皮膜にグラスファイバーの心船（ガラス）が通っており、クマゼミの硬い産卵管１２を、ケーブル表面の溝から刺し、真下にある心線は的中し、グラスファイバーに損傷になる例が多発していることが解った。
本発明は、分配する分配箱１０の各家庭を繋ぐドロップ線１１の全線に電線保護体１の下部の長方形型形状とした波状波形部２と電線保護体係止片７のあいだを拡開して被着させ、隣り合う電線保護体１を接合する継手の係合突起部３と係合凹部４を嵌め合せ取付穴８、８でビス止め被着し、最前部と最後部の切断面部と、その中間部の電線保護体１どうしで長手方向に嵌め合せ接続被着し、電線保護体１の最前部の切断面部５を分配箱１０当てて、家庭までの中継箱までを合せて切断した最後部の電線保護体１の切断面部５を当てて、ドロップ線１１の全線を接続し被着させ、暴風雨の強風を受けても、電線保護体１とドロップ線１１の長方形型形状６の嵌め合せ被着させた構成から、分配箱１０の近傍に電線保護体１の鋭利な波状波形部２の先端を上方に突き出すようにしたから、分配箱１０に跨ったカラスによる悪戯が出来ずに飛び去り、クマゼミは近傍に近寄れず、クマゼミはドロップ線１１の近傍から飛び去り、その悪戯から免れ、分配箱１０から各家庭の間を繋ぐドロップ線１１に、電線保護体１の下部の長方形型形状６とした波状波形部２と電線保護体係止片７のあいだを拡開してドロップ線１１を挿入、ビス止め被着させ、隣り合う電線保護体１を接合する継手の係合突起部３と係合凹部４をビス止め電線保護体１を連接接続装させ、長手方向に連接接続させてドロップ線１１の全線を電線保護体１で連接包含させてクマゼミを近寄らせないようにした鳥害防止用保護体としたものである。
【産業上の利用可能性】
【０００８】
ドロップ線に鋭利な波状波形部を上方に突出させて、上下逆転させないように電線保護体の長方形型形状を嵌め合せ被着させ、分配箱上からクマゼミがドロップ線に悪戯し食いちぎる断線を防ぐため、分配箱から各家庭に繋ぐ中継箱までのクマゼミの飛来高度のドロップ線に電線保護体をビス止め長手方向へと接続被着して、ドロップ線の全線を電線保護体を被着させてクマゼミが近寄ることの無いようにした鳥害防止用電線保護体にしたから産業上の利用可能性は大である。
【図面の簡単な説明】
【０００９】
【図１】本発明の電線保護体の下方を長方形型形状にした片方に波状波形部を立設し、他方に電線保護体係止片を立設させ、電線保護体の両側で拡開自在にした鳥害防止用電線保護体の断面図である。
【図２】本発明の長方形型形状の電線保護体の接続継手の係合突起部と係合凹部の詳細説明斜視図である。
【図３】本発明の電線保護体の電線保護体係止片を突出させた係合突起部と、他方に電線保護体係止片を凹部した係合凹部を設けた中間部の電線保護体を示す図である。
【図４】本発明の中間部の電線保護体の電線保護体係止片の突出させた係合突出部を切断した切断面部を設けるようにした最前部の電線保護体を示す図である。
【図５】本発明に係るドロップ線の詳細断面説明図である。
【符号の説明】
【００１０】
１        電線保護体                    ２      波状波形部
３        係合突起部                    ４      係合凹部
５        切断面部                      ６      長方形型形状
７        電線保護体係止片              ８      取付穴
９        電線                          １０    分配箱
１１      ドロップ線                    １２    産卵管
【手続補正３】
【補正対象書類名】図面
【補正対象項目名】全図
【補正方法】変更
【補正の内容】
【図１】
2008000078.tif 000014
【図２】
2008000078.tif 000015
【図３】
2008000078.tif 000016
【図４】
2008000078.tif 000017
【図５】
2008000078.tif 000018
【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
合成樹脂製の電線保護体は、電線保護体１の下部に設けた内部に電線を収納し得る長方形型形状部６を有し、長方形型形状部の片側から、波状の板体で形成される波状波形部２を一体的に設け、他方の側から電線保護体係止片７を立設させ、その電線保護体の左側に電線保護体係止片７を突出させた係合突起部３を設け、同じく右側に前記係合突起部と嵌り合うよう凹部にした係合凹部４を設け、係合突起部と係合凹部を係合して他の電線保護体同士を連結可能に構成し、係合部においてビス止めよう取付穴を設け、長方形型形状部６は、電線を収納すべく波状波形部２と電線保護体係止片７を拡開自在に形成されていることを特徴とする鳥害防止用電線保護体。
【手続補正２】
【補正対象書類名】明細書
【補正対象項目名】全文
【補正方法】変更
【補正の内容】
【発明の詳細な説明】
【技術分野】
【０００１】
本発明は電柱から分配する分配箱から各家庭に繋げるドロップ線に、クマゼミが木と間違えて産卵管を挿入して、ドロップ線のグラスファイバーに損傷を与えて通信を妨げる被害が増えている実情である。
【背景技術】
【０００２】
従来の鳥害防止用電線保護体は、電柱に架設した電線に、合成樹脂製の管体の下部に突出片を左右に対設させ、電柱に架設した電線に被着するため拡開自在に分割した電線保護体Ａであって、長手方向に継手のカリ首状の係合突起２の嵌合鎧部３で、電線保護体の継手Ｂも電線保護体Ａと同様に下部に突出片を左右に対設し、拡開自在に分割し、突入片６、６が対設され、その両側端で電線を導入させ、電柱に架設した電線に被着して強風により管体の回転しても良いように突起を、上下に配設、何時でも上方に突出するハリヤー管体が有り、鳥害防止機能が果たせる課題を解決するために、強風により回転しても常に鳥害防止機能を発揮する。（例えば、特許文献１参照）。
発電所、変電設備等の回りの柵本体の上端に、猿の手指に痛覚刺激を与えるように上に突出した鋼板製の波状波形部を柵本体の長さ方向に連接設けたものがある。（例えば、特許文献２参照）。
電柱に架設する電線に、先ず、電線に鳥害防止用電線保護体を被着させてから、電柱に架設する電線に円周回りに突起を設けて鳥害を防止する棒体を長手方向に接続設けるようにしたものがある。（例えば、特許文献３参照）上述の従来技術だけでは、新しい鳥害防止用電線保護体とすることが出来ず、電柱から分配する分配箱から各家庭に繋ぐドロップ線は、ワイヤーで補強、ビニールで被膜されているものの、分配される分配箱から家庭に繋がるドロップ線はカラスや、特に最近クマゼミが木の葉と間違えて産卵管をドロップ線に突き刺し、内部のグラスファイバーを傷つけ損傷される例が多発している。
【特許文献１】特開２０００−５５号  公報
【特許文献２】登録実用新案第３０８９０３２号  公報
【特許文献３】特開平１１−１９１９１７号  公報                  １）図２
【発明の開示】
【発明が解決しようとする課題】
【０００３】
しかしながら、前記鳥害防止用電線保護体にあっては、各ハリヤー棒体が上側縁から鉛直上方へ、突出させているのみであるので、鳥害防止用電線保護体が強風などにより上下逆に反転すると、その上方に突出すべきバリヤー棒体が無くなり、せっかくの鳥害防止機能が果たせなくなるという課題が有った。そこで、本発明は上記課題を解決すべく強風に対しても回転することなく常に鳥害防止機能を確実に発揮し得る鳥害防止用電線保護体を提供することを目的とするものである。また、鳥害防止対象のクマゼミの生体でその飛行する飛行高度は１００メートルの飛行高度が最高であり、そこを考慮して、電柱から分配される分配箱から各家庭のあいだのドロップ線に電気通信回線を公衆に利用可能にする電柱に架設する電線工事とおなじようにする最適の直方形型形状の両側で拡開自在にした鳥害防止用電電保護体を被着させる、取付工事が極めて簡潔な構成の鳥害防止用保護体を提供するものである。
【課題を解決するための手段】
【０００４】
本発明に係わる鳥害防止用電線保護体は、合成樹脂製の電線保護体の下部に設けた内部に電線を収納し得る長方形型形状部を有し、長方形型形状部の片方の側から、波状の板体で形成される波状波形部２一体的に立設し、他方の側から電線保護体係止片を立設させ、その電線保護体の左側に電線保護体係止片を突出させた係合突起部を設け、同じく右側に前記係合突起部と嵌り合うよう凹部にした係合凹部を設け、係合突起部と係合凹部を係合して他の電線保護体同士を連結可能に構成し、係合部においてビス止めよう取付穴を設け、長方形型形状部は、電線を収納すべく波状波形部と電線保護体係止片を拡開自在に形成するようにした鳥害防止用電線保護体としたから、電線のドロップ線を収納すべくした長方形型形状部を、波状波形部と電線保護体係止片のあいだを拡開させてドロップ線を収納することが出来、その波状波形部と電線保護体係止片の係合突出部と係合凹部を係合して他の電線保護体同士を連結接続させ、係合部において取付穴を介してビス止めドロップ線に被着させ、その上方の突き出させた鋭利な波状波形部を分配箱から各家庭に繋ぐドロップ線を被着させて鳥類のカラスからの被害を防止し、長方形型形状のドロップ線と電線保護体に設けた長方形型形状部を嵌め合せ被着させたから上方に突き出た波状波形部が回転、位置を逆転させることなく、クマゼミからの被害を防止できる、電線保護体をドロップ線に被着させてなる鳥害防止用電線保護体。
【発明の効果】
【０００５】
本発明は電線保護体の下部に設けた内部に電線を収納し得る長方形型形状部を有してドロップ線を被着するに最適な構成にし、直方形型形状部の片方の側から、波状の板体で形成される波状波形部を一体的に立設し、他方の側から電線保護体係止片を立設さえ、その電線保護体の左側に電線保護体係止片を突出させた係合突起部を設け、同じく右側に前記係合突起部と嵌り合うよう凹部にした係合凹部を設け、係合突出部と係合凹部を係合して他の電線保護体同士を連結可能に構成し、係合部においてビス止めよう取付穴を設け、長方形型形状部は、電線を収納すべく波状波形部と電線保護体係止片を拡開自在に形成されている鳥害防止用電線保護体としたから、電線を収納するために波状波形部と電線保護体係止片を拡開させて長方形型形状部でドロップ線を収納すればよく、係合突起部と係合凹部を係合して他の電線保護体同士を連結させ、係合部で取付穴を介してビス止め被着させる極めて簡易な取付工事によりドロップ線を電線保護体を被着させることの出来る効果が有し、上方に突き出た鋭利な波状波形部を有する電線保護体でカラスは勿論のこと、クマゼミの飛行する高度は低空に限られる電柱の分配箱から各家庭に繋ぐ低空に架設するドロップ線に電線保護体に被着させたから、近寄ってクマゼミが硬い産卵管を電線保護体に貫通させることが出来ず、ドロップ線のケーブル表面の溝から産卵管を刺せず、グラスファイバーを損傷させる被害を未然に防止し、電線保護体の直方形型形状部でドロップ線の長方形型形状に嵌め合わせ収納被着させたから強風が吹いても、ドロップ線と電線保護体の長方形型形状部を嵌め合い被着させたから、従来のように上方に設けた波状波形部が上下が逆転することが無く、確実に上方に突き出させる鋭利な波状波形部によりカラスが分配箱上に載っても悪戯出来ず、食いちぎられること無く切断を免れるようにした鳥害防止用電線保護体。
【発明を実施するための最良の形態】
【０００６】
以下、本発明の実施の形態を図１〜図５に基づいて説明する。
【実施例】
【０００７】
本発明を説明すると、従来の猿害防止用の変電所、発電設備の上方の柵本体に取着した猿害防止用の隣り合う波状を高い波と低い波とを間隔を持って構成した鋭利な鋼板製の波状波形部を用いることは公知のものである。
本発明について図１により詳しく説明すると、合成樹脂製の電線保護体は、電線保護体１の下部に設けた内部に電線を収納し得る直方形型形状部６を有し、直方形型形状部６の片方の側から、波状の板体で形成される波状波形部２を一体的に立設し、他方の側から電線保護体係止片７を立設させ、その電線保護体の左側に電線保護体係止片７を突出させた係合突起部３を設け、同じく右側に前記係合突起部と嵌り合うよう凹部にした係合凹部４を設け、係合突起部と係合凹部を係合して他の電線保護体同士を連結可能にし、係合部においてビス止めよう取付穴を設け、長方形型形状部６は、電線を収納すべく波状波形部２と電線保護体係止片７を拡開自在に形成させた鳥害防止用電線保護体としたものである。
図２は、他の合成樹脂製の電線保護体同士を接続するための電線保護体の左側に電線保護体係止片７を突出させ設けた係合突起部３と、同じく右側に前記係合突起部と嵌り合うよう凹部に設けた係合凹部４とで、係合突起部３と係合凹部４を嵌め合わせ取付穴８、８でビス止め接続させるための詳細説明斜視図である。
図３、電線保護体の下部に設けた内部に電線を収納し得る長方形型形状部６を有する電線保護体１であり、電線保護体の左側に電線保護体係合片７を突出させた係合突起部３を設け、同じく右側に前記係合突起部と嵌り合うよう凹部にした係合凹部４を設けた電線保護体１を示す図である。
図４においては、上方に隣り合う波状を高い波と低い波を間隔を持って構成する鋭利な波状波形部２を一体化した波状波形部２にし、電線保護体の左側に電線保護体係止片７を突出させ設けた係合突起部３を切断して切断面部５を示す図である。
図５は、分配する分配箱１０から各家庭のあいだを繋ぐドロップ線１１という細い長方形型形状のケーブルで、ポリエチレンの皮膜にグラスファイバーの心船（ガラス）が通っており、クマゼミの硬い産卵管１２を、ケーブル表面の溝から刺し、真下にある心線は的中し、グラスファイバーに損傷になる例が多発していることが解った。
本発明は、分配する分配箱１０から各家庭を繋ぐドロップ線１１に対し、電線保護体１の下部の内部に設けた電線を収納し得る長方形型形状部部６を、波状波形部２と電線保護体係止片７のあいだを拡開してドロップ線に収納させ、電線保護体同士を係合突起部３と係合凹部４を嵌め合せ取付穴８、８でビス止め被着させ、電線保護体１を分配箱１０から各家庭に繋ぐ中継箱までのあいだに上方に突き出した鋭利な波状波形部２を有する電線保護体１を被着させたから、分配箱１０に跨ったカラスによる悪戯を未然に防止でき、クマゼミにおいてもドロップ線１１に被着させたから近傍に近寄ってもクマゼミの硬い産卵管１２は電線保護体１を通さずグラスファイバーの損傷被害を未然に防止する鳥害防止用電線保護体である。
【産業上の利用可能性】
【０００８】
ドロップ線に鋭利な波状波形部を上方に突出させて、上下逆転させないように電線保護体の長方形型形状を嵌め合せ被着させ、分配箱上からクマゼミがドロップ線に悪戯し食いちぎる断線を防ぐため、分配箱から各家庭に繋ぐ中継箱までのクマゼミの飛行する低高度の１００メートルのドロップ線に電線保護体をビス止め長手方向へと連結被着させ、ドロップ線に電線保護体を被着させてクマゼミが近寄ることの無いようにした鳥害防止用電線保護体にしたから産業上の利用可能性は大である。
【図面の簡単な説明】
【０００９】
【図１】本発明の電線保護体の下方に設けた内部に電線を収納し得る長方形型形状部を有し、長方形型形状部の片側の側から、波状の板体で形成された波状波形部２を一体的に立設し、他方の側から電線保護体係止片を立設させて電線保護体をドロップ線にビス止め被着させた鳥害防止用電線保護体の断面図である。
【図２】本発明の電線保護体の左側に電線保護体係止片を突出させ設けた係合突起部と、同じく右側に前記係合突起部と嵌め合うよう凹部に設けた係合凹部で他の電線保護体と連結可能にする係合部の斜視図である。
【図３】本発明の電線保護体の電線保護体係止片を突出させた係合突起部と、他方に電線保護体係止片を凹部した係合凹部を設けた電線保護体を示す図である。
【図４】本発明の電線保護体の電線保護体係止片の突出させた係合突出部を切断した切断面部を示す図である。
【図５】本発明に係るドロップ線の詳細断面説明図である。
【符号の説明】
【００１０】
１        電線保護体                    ２      波状波形部
３        係合突起部                    ４      係合凹部
５        切断面部                      ６      長方形型形状部
７        電線保護体係止片              ８      取付穴
９        電線                          １０    分配箱
１１      ドロップ線                    １２    産卵管